(57)【特許請求の範囲】
【請求項１】
バンド部材と、
前記バンド部材の一方のバンド端部に装着されて前記バンド部材の他方のバンド端部とを押えるバンド押え部材を備え、
前記バンド押え部材は、
前記他方のバンド端部側に配置される第１連結部と、
前記一方のバンド端部側に配置される第２連結部と、
前記第１連結部と前記第２連結部とを前記一方のバンド端部と前記他方のバンド端部との重なり合う方向に変位可能に連結する可変連結部と、
を有していることを特徴とするバンド。
【請求項２】
請求項１に記載のバンドにおいて、前記バンド部材の他方のバンド端部には、前記バンド部材の厚さが厚くなった抜止め突起部を有していることを特徴とするバンド。
【請求項３】
請求項１または請求項２に記載のバンドにおいて、前記可変連結部は、前記第１連結部の両側に位置する第１両側部に設けられ、かつ前記第２連結部の両側に位置する第２両側部の各外面に向けて突出した第１突起部と、前記第２連結部の前記第２両側部に設けられ、かつ前記第１連結部の前記第１両側部の各内面に向けて突出した第２突起部と、を有し、前記第１突起部と前記第２突起部とが前記一方のバンド端部と前記他方のバンド端部との重なり合う方向に変位することを特徴とするバンド。
【請求項４】
請求項１〜請求項３のいずれかに記載のバンドにおいて、前記可変連結部は、前記第１連結部と前記第２連結部とを互いに接近させる方向に付勢する付勢部材を備えていることを特徴とするバンド。
【請求項５】
請求項３に記載のバンドにおいて、前記第１連結部の前記第１突起部と前記第２連結部の前記第２突起部との間に配置されて、前記第１突起部と前記第２突起部とを押し離す方向に付勢する付勢部材を備えていることを特徴とするバンド。
【請求項６】
請求項１〜請求項５のいずれかに記載のバンドにおいて、前記可変連結部は、前記第１連結部と前記第２連結部とを前記一方のバンド端部と前記他方のバンド端部との重なり合う方向に沿ってガイドするガイド部を備えていることを特徴とするバンド。
【請求項７】
請求項３に記載のバンドにおいて、前記第１連結部の前記第１両側部と前記第２連結部の前記第２両側部との一方に互いに対向した状態で前記一方のバンド端部と前記他方のバンド端部との重なり合う方向に沿って設けられた一対のガイド溝と、前記第１連結部の前記第１両側部と前記第２連結部の前記第２両側部との他方に設けられて前記一対のガイド溝内に挿入され、かつ前記一方のバンド端部と前記他方のバンド端部との重なり合う方向にガイドされる一対のガイド突起部と、を有するガイド部を備えていることを特徴とするバンド。
【請求項８】
請求項１または請求項２に記載のバンドにおいて、前記可変連結部は、前記第１連結部の両側に設けられた第１両側部と、前記第２連結部の両側に設けられ、かつ前記第１連結部の前記第１両側部に重なる第２両側部と、前記第１両側部と前記第２両側部とに設けられて同一軸上で対応する一対の取付孔と、前記一対の取付孔に回転可能に取り付けられ、かつ前記第１両側部と前記第２両側部とを前記一方のバンド端部と前記他方のバンド端部との重なり合う方向に変位可能に連結する一対のピン部材と、を有していることを特徴とするバンド。
【請求項９】
請求項８に記載のバンドにおいて、前記第１両側部と前記第２両側部とに設けられた前記一対の取付孔のうち、いずれか一方の取付孔は、前記ピン部材の一端部を取り付ける固定孔であり、前記いずれか他方の取付孔は、前記ピン部材の他端部を前記一方のバンド端部と前記他方のバンド端部との重なり合う方向に変位可能に取り付ける可変孔であることを特徴とするバンド。
【請求項１０】
請求項１または請求項２に記載のバンドにおいて、前記可変連結部は、前記第１連結部の両側部と前記第２連結部の両側部とを前記一方のバンド端部と前記他方のバンド端部との重なり合う方向に弾性変形可能に連結する一対の弾性部材を備えていることを特徴とするバンド。
【請求項１１】
請求項１０に記載のバンドにおいて、前記第１連結部の両側部にそれぞれ設けられて前記一対の弾性部材の各一端部に食い込で取り付けられる一対の第１取付突起部と、前記第２連結部の両側部にそれぞれ設けられて前記一対の弾性部材の各他端部に食い込で取り付けられる一対の第２取付突起部と、を有していることを特徴とするバンド。
【請求項１２】
請求項１〜請求項１１のいずれかに記載のバンドを備えていることを特徴とする時計。
【発明の詳細な説明】
【技術分野】
【０００１】
この発明は、腕時計や鞄、衣服などに用いられるバンドおよびそれを備えた時計に関する。
【背景技術】
【０００２】
例えば、腕時計に用いられている時計バンドにおいては、特許文献１に記載されているように、腕時計ケースの１２時側と６時側とに第１、第２のバンドが取り付けられ、これら第１、第２のバンドの各端部側が重なり合うバンド重なり部分に遊環と称する環状のバンド押え部材が取り付けられるように構成されたものが知られている。
【先行技術文献】
【特許文献】
【０００３】
【特許文献１】特開２００９−６０９９３号公報
【０００４】
このような時計バンドのバンド押え部材は、合成皮革などの柔軟性を有する材料で形成され、第１、第２のバンドの各端部側が重なり合うバンド重なり部分における上側のバンド端部に設けられた抜止め突起を柔軟に弾性変形して乗り越えることにより、バンド重なり部分に装着されて、第１、第２のバンドの各端部側を互いに重なり合う方向に押えるように構成されている。
【発明の概要】
【発明が解決しようとする課題】
【０００５】
このような時計バンドでは、デザイン性や機能性を考慮して、バンド押え部材を金属で形成することが要望されているが、単に金属で形成すると、バンド押え部材が柔軟に変形しなくなるため、バンド押え部材にバンドの端部を挿入しにくくなるという問題が生じる。
【０００６】
このため、このような時計バンドでは、バンド押え部材にバンドの端部を挿入しやすくするように、バンド押え部材の寸法をバンド重なり部分の厚みよりも十分に大きく設定する必要があるが、このようにバンド押え部材の寸法を大きく設定すると、バンド押え部材がバンド重なり部分に遊びをもった緩い状態で装着されるため、装着性が悪く、抜け止め効果も低下し、使い勝手が悪くなるという問題がある。
【０００７】
この発明が解決しようとする課題は、デザイン性に優れ、かつ装着性も良く、使い勝手の良いバンドおよびそれを備えた時計を提供することである。
【課題を解決するための手段】
【０００８】
この発明は、バンド部材と、前記バンド部材の一方のバンド端部に装着されて前記バンド部材の他方のバンド端部とを押えるバンド押え部材を備え、前記バンド押え部材は、前記他方のバンド端部側に配置される第１連結部と、前記一方のバンド端部側に配置される第２連結部と、前記第１連結部と前記第２連結部とを前記一方のバンド端部と前記他方のバンド端部との重なり合う方向に変位可能に連結する可変連結部と、を有していることを特徴とするバンドである。
【発明の効果】
【０００９】
この発明によれば、バンド端部に配置される第１連結部と第２連結部とを、可変連結部によってバンド端部の重なり合う方向に変位可能に連結することができるので、バンド押え部材を金属などの硬質材料で形成することができると共に、金属などの硬質材料で形成しても、確実にかつ良好に装着することができる。これにより、デザイン性に優れ、かつ装着性も良く、使い勝手の良いものを提供できる。
【図面の簡単な説明】
【００１０】
【図１】この発明を時計バンドに適用した第１実施形態を示した要部の拡大斜視図である。
【図２】図１に示された時計バンドの要部を示した拡大平面図である。
【図３】図２に示された時計バンドの要部における断面を示し、（ａ）は図２のＡ−Ａ矢視における要部の拡大断面図、（ｂ）は図２のＢ−Ｂ矢視における要部の拡大断面図である。
【図４】図２に示されたバンド押え部材を分解して示した拡大斜視図である。
【図５】図４に示されたバンド押え部材を示し、（ａ）はその拡大平面図、（ｂ）はそのＣ−Ｃ矢視における拡大断面図、（ｃ）は（ｂ）の状態で第１連結部と第２連結部とをばね部材のばね力に抗して押し広げた状態を示した拡大断面図である。
【図６】図３に示された時計バンドの要部において、バンド押え部材が第２バンドの抜止め突起部を乗り越える状態を示し、（ａ）はその拡大平面図、（ｂ）はそのＤ−Ｄ矢視における要部の拡大断面図、（ｃ）はそのＥ−Ｅ矢視における要部の拡大断面図である。
【図７】この発明を時計バンドに適用した第２実施形態を示し、（ａ）はその要部を示した拡大平面図、（ｂ）はそのＦ−Ｆ矢視における拡大断面図である。
【図８】図７に示されたバンド押え部材を示し、（ａ）はそのバンド押え部材を分解して示した拡大斜視図、（ｂ）はその拡大平面図、（ｃ）はそのＧ−Ｇ矢視における拡大断面図である。
【図９】この発明を時計バンドに適用した第３実施形態におけるバンド押え部材を分解して示した拡大斜視図である。
【図１０】図９に示されたバンド押え部材を示し、（ａ）はその拡大平面図、（ｃ）はそのＨ−Ｈ矢視における拡大断面図である。
【発明を実施するための形態】
【００１１】
（第１実施形態）
以下、図１〜図６を参照して、この発明を時計バンドに適用した第１実施形態について説明する。
この時計バンドは、図１に示すように、第１バンド１と第２バンド２とを備えている。第１バンド１は、腕時計ケース（図示せず）の１２時側に取り付けられている。第２バンド２は、腕時計ケースの６時側に取り付けられ、その長さが第１バンド１の長さよりも長く形成されている。
【００１２】
これら第１バンド１と第２バンド２とは、図１に示すように、各端部１ａ、２ａ側が互いに重なり合い、このバンド重なり部分が尾錠３によって連結されるように構成されている。この尾錠３は、第１バンド１の端部１ａに取り付けられた取付ピン３ａと、この取付ピン３ａの両端部に取り付けられて第２バンド２の端部２ａが挿入する尾錠本体３ｂと、取付ピン３ａの中間部に取り付けられ、かつ第２バンド２の長手方向に沿って等間隔で２列に設けられた複数のつく棒孔２ｂに選択的に挿入する一対のつく棒３ｃと、を備えている。
【００１３】
すなわち、この尾錠３は、図１に示すように、尾錠本体３ｂに第２バンド２の端部２ａが挿入されて、第１バンド１の端部１ａ側の上に第２バンド２の端部２ａ側が重ね合わされ、この状態で第２バンド２の複数のつく棒孔２ｂのいずれかに一対のつく棒３ｃが挿入されて、第１バンド１と第２バンド２とをその長手方向に沿って引き離す方向に引っ張ることにより、一対のつく棒３ｃが尾錠本体３ｂに当接して、第１バンド１と第２バンド２とを連結するように構成されている。
【００１４】
ところで、この時計バンドは、図１〜図３に示すように、第１バンド１の端部１ａに装着され、かつ第１バンド１の端部１ａ側と第２バンド２の端部２ａ側とが重なり合うバンド重なり部分に装着されて、第１バンド１の端部１ａ側と第２バンド２の端部２ａ側とを重ね合わせた状態で押えるバンド押え部材４を備えている。
【００１５】
このバンド押え部材４は、図１〜図３に示すように、第１バンド１の端部１ａ側の上に第２バンド２の端部２ａ側が重なり合うバンド重なり部分において、第２バンド２の端部２ａ側に設けられた抜止め突起部５を乗り越えて、尾錠３側に位置するバンド重なり部分に装着され、この状態で第１バンド１の端部１ａ側と第２バンド２の端部２ａ側とを互いに重なり合う方向に押えるように構成されている。
【００１６】
すなわち、このバンド押え部材４は、図３〜図５に示すように、第１バンド１の端部１ａ側と第２バンド２の端部２ａ側とが重なり合うバンド重なり部分における上側に位置する第２バンド２側に配置される第１連結部６と、バンド重なり部分における下側に位置する第１バンド１側に配置される第２連結部７と、第１連結部６と第２連結部７とを第１、第２のバンド１、２の重なり合う厚み方向に変位可能に連結する可変連結部８と、を有している。
【００１７】
第１連結部６は、図３〜図５に示すように、第２バンド２の上面に配置される平板状の第１連結本体部６ａと、この第１連結本体部６ａの両側に設けられて第１、第２のバンド１、２の長手方向に沿う各両側部に対応する第１両側部６ｂと、を有している。第２連結部７は、第１バンド１の下面に配置される平板状の第２連結本体部７ａと、この第２連結本体部７ａの両側に設けられて第１、第２のバンド１、２の長手方向に沿う各両側部に対応する第２両側部７ｂと、を有している。
【００１８】
この場合、第１連結部６の第１両側部６ｂは、図３〜図５に示すように、第１、第２のバンド１、２の厚み方向の長さが、第１、第２のバンド１、２の重なり合う厚みとほぼ同じ長さで形成されている。第２連結部２の第２両側部７ｂは、第１、第２のバンド１、２の厚み方向の長さが、第１、第２のバンド１、２の重なり合う厚みよりも少し短く形成されている。
【００１９】
また、第１連結部６の第１連結本体部６ａは、図３〜図５に示すように、第２バンド２の長手方向と直交する方向の長さが、第２連結部７の第２連結本体部７ａにおける第１バンド１の長手方向と直交する方向の長さよりも、長く形成されている。この第１連結本体部６ａは、第２バンド２の長手方向の長さが、第２バンド２の長手方向と直交する方向の長さよりも短い長さで形成されている。
【００２０】
第２連結部７の第２連結本体部７ａは、図３〜図５に示すように、第１バンド１の長手方向と直交する方向の長さが、第１連結部６の第１連結本体部６ａにおける第２バンド２の長手方向と直交する方向の長さとほぼ同じ長さで形成されている。この第２連結本体部７ａは、第１バンド１の長手方向の長さが第１連結本体部６ａと同じ長さで形成されている。これにより、第２連結部７は、第１連結部６と重なり合う状態で、第２両側部７ｂが第１連結部６の第１両側部６ｂ間に隙間をもって配置されるように構成されている。
【００２１】
一方、可変連結部８は、図３〜図５に示すように、第１連結部６の第１両側部６ｂにおける下部に設けられて、第２連結部７の第２両側部７ｂの各外面に向けて突出する第１突起部８ａと、第２連結部７の第２両側部７ｂにおける上部に設けられて、第１連結部６の第１両側部６ａの各内面に向けて突出する第２突起部８ｂと、を有している。これにより、可変連結部８は、第１突起部８ａが第２突起部８ｂの下側に位置し、この状態で第１突起部８ａと第２突起部８ｂとが第１、第２のバンド１、２の重なり合う方向に変位するように構成されている。
【００２２】
また、この可変連結部８は、図３〜図５に示すように、第１連結部６と第２連結部７とを互いに接近させる方向に付勢するばね部材９を更に備えている。このばね部材９は、コイルばねであり、第１、第２のバンド１、２が重なり合う方向における第１突起部８ａと第２突起部８ｂとの間に配置され、第１突起部８ａと第２突起部８ｂとを互いに押し離す方向に付勢するように構成されている。
【００２３】
すなわち、このばね部材９は、図３〜図５に示すように、第１連結部６の第１両側部６ｂの各内面に設けられた後述するガイド部１０の各ガイド溝１１内にそれぞれ配置されて、第１突起部８ａと第２突起部８ｂとを互いに押し離す方向に付勢することにより、第１連結部６と第２連結部７とを互いに接近させるように構成されている。
【００２４】
これにより、第１連結部６と第２連結部７とは、図５（ｂ）に示すように、ばね部材９のばね力によって第１突起部８ａと第２突起部８ｂとが互いに押し離されることにより、第１連結本体６ａと第２連結本体７ａとが互いに接近し、第１、第２のバンド１、２の厚み方向における間隔が、第１、第２のバンド１、２の重なり合う厚みよりも狭くなるように構成されている。
【００２５】
さらに、この可変連結部８は、図３〜図５に示すように、第１連結部６と第２連結部７とを第１、第２のバンド１、２の重なり合う厚み方向に沿ってガイドするガイド部１０を備えている。このガイド部１０は、第１連結部６の第１両側部６ｂにおける各内面に設けられた一対のガイド溝１１と、第２連結部７の第２突起部８ｂに設けられて一対のガイド溝１１内に挿入されて第１、第２のバンド１、２の重なり合う厚み方向にガイドされる一対のガイド突起部１２と、を備えている。
【００２６】
これにより、第１連結部６と第２連結部７とは、図３〜図５に示すように、第１両側部６ｂの各内面に設けられた一対のガイド溝１１に、第２連結部７の第２突起部８ｂにそれぞれ設けられた一対のガイド突起部１２が挿入され、これら一対のガイド突起部１２が第１両側部６ｂの一対のガイド溝１１によって、第１、第２のバンド１、２の重なり合う方向にガイドされることにより、第１、第２のバンド１、２の各長手方向に位置ずれしないように構成されている。
【００２７】
この場合、第１連結部６には、図３〜図５に示すように、第２連結部７の上限位置を規制する一対のストッパ部１３が設けられている。これら一対のストッパ部１３は、その下面と一対のガイド溝１１の上端部との間に第２連結部７の第２突起部８ｂが、第１、第２のバンド１、２の各長手方向に沿って挿入する隙間をもった状態で、第１連結部６の第１両側部６ｂにおける各内面の上部に設けられている。
【００２８】
また、一対のストッパ部１３は、図３および図５に示すように、第２連結部７の一対のガイド突起部１２が第１連結部６の一対のガイド溝１１に挿入された状態で、一対のガイド突起部１２が第１、第２のバンド１、２が重なり合う方向に移動して一対のガイド溝１１の上端部に位置した際に、一対のガイド突起部１２が一対のストッパ部１３の下面に当接することにより、第１連結部６に対する第２連結部７の上限位置を規制するように構成されている。
【００２９】
このため、第２連結部７は、図４に示すように、可変連結部８の第２突起部８ｂが第１、第２のバンド１、２の長手方向における側方から第１連結部６における一対のストッパ部１３の下面と一対のガイド溝１１の上端部との間に挿入され、この挿入された第２突起部８ｂに設けられた一対のガイド突起部１２が第１連結部６の一対のガイド溝１１の上端部に対応して一対のガイド溝１１内に挿入されることにより、第１連結部６に第１、第２のバンド１、２の重なり合う方向に移動可能に取り付けられるように構成されている。
【００３０】
次に、このような時計バンドの作用について説明する。
まず、第１バンド１の端部１ａ側にバンド押え部材４を取り付け、この第１バンド１の端部１ａに尾錠３を取り付ける。このときには、尾錠３を取り付ける前に、予め、バンド押え部材４を組み立てて第１バンド１の端部１ａ側に取り付ける。
【００３１】
すなわち、バンド押え部材４を組み立てる場合には、第１連結部６の第１両側部に設けられたガイド部１０の一対のガイド溝１１内にばね部材９をそれぞれ配置する。この状態で、第２連結部７の各第２突起部８ｂに設けられた一対のガイド突起部１２を、第１、第２のバンド１、２の長手方向における側方から第１連結部６における一対のストッパ部１３の下面と一対のガイド溝１１の上端部との間に挿入する。
【００３２】
この挿入された第２突起部８ｂの一対のガイド突起部１２を第１連結部６の一対のガイド溝１１の上端部に対応させて一対のガイド溝１１内に挿入する。これにより、一対のガイド突起部１２が一対のガイド溝１１内の各ばね部材９上に弾接して配置される。この状態で、第２連結部７が第１連結部６に第１、第２のバンド１、２の重なり合う方向に移動可能に取り付けられ、バンド押え部材４が組み立てられる。
【００３３】
このバンド押え部材４を第１バンド１に取り付ける際には、バンド押え部材４の第１連結部６と第２連結部７との間に第１バンド１の端部１ａを挿入させる。このときには、バンド押え部材４における一対のばね部材９の各ばね力によって第１連結部６の各第１突起部８ａと第２連結部７の各第２突起部８ｂとが互いに押し離されている。
【００３４】
このため、第１、第２のバンド１、２の厚み方向における第１連結本体６ａと第２連結本体７ａとの間隔が、第１、第２のバンド１、２の重なり合う厚みよりも狭くなっている。この場合、第１連結本体６ａと第２連結本体７ａとの間隔は、第１バンド１の厚みよりも十分に広いので、第１連結部６と第２連結部７との間に第１バンド１の端部１ａが遊びをもった緩い状態で挿入される。これにより、バンド押え部材４が第１バンド１に装着される。
【００３５】
この後、第１バンド１の端部１ａに尾錠３を取り付ける。このときには、第１バンド１の端部１ａの中間部に一対のつく棒３ｃを配置し、この状態で第１バンド１の端部１ａに取付ピン３ａを取り付ける。これにより、一対のつく棒３ｃが第１バンド１の端部１ａに取付ピン３ａによって取り付けられる。そして、この取付ピン３ａの両端部に尾錠本体３ｂを回転可能に取り付ける。これにより、第１バンド１の端部１ａに尾錠３が取り付けられる。
【００３６】
このように、バンド押え部材４および尾錠３が取り付けられた第１バンド１と、複数のつく棒孔２ｂが長手方向に沿って２列で設けられた第２バンド２とを、腕時計ケース（図示せず）に取り付ける。この場合には、第１バンドの端部１ａと反対に位置する端部を腕時計ケース（いずれも図示せず）の１２時側の側部に取り付ける。同様に、第２バンド２の端部２ａと反対に位置する端部を腕時計ケース（いずれも図示せず）の６時側の側部に取り付ける。これにより、時計バンドが構成される。
【００３７】
次に、このような時計バンドによって腕時計（図示せず）を腕に取り付けて使用する場合について説明する。
この場合には、まず、腕に腕時計ケースを配置して第１バンド１と第２バンド２とを巻き付け、この状態で第２バンド２の端部２ａ側と第１バンド１の端部１ａ側とを尾錠３によって取り付ける。
【００３８】
このときには、第２バンド２の端部２ａを第１バンド１の端部１ａに取り付けられた尾錠３の尾錠本体３ｂに挿入させて第１バンド１の端部１ａ上に重ねわせ、尾錠３の一対のつく棒３ｃを第２バンド２に設けられた複数のつく棒孔２ｂのいずれかに選択的に挿入させる。この状態で、第１バンド１と第２バンド２とをその長手方向に沿って引き離す方向に引っ張ることにより、一対のつく棒３ｃが尾錠本体３ｂに当接して、第１バンド１と第２バンド２とが連結される。
【００３９】
この状態で、第２バンド２の端部２ａを第１バンド１の端部１ａ側の上側に重ね合わせながらバンド押え部材４内に挿入させる。このときには、第２バンド２の端部２ａ側に抜止め突起部５が設けられているため、この抜止め突起部５がバンド押え部材４の第１連結部６の内面に圧接する。すなわち、第１バンド１の端部１ａ側と第２バンド２の端部２ａ側とが重なり合うバンド重なり部分は、抜止め突起部５が突出している突出長さだけ、全体の厚みが厚くなっている。
【００４０】
また、バンド押え部材４は、ばね部材９のばね力によって第１連結部６の第１突起部８ａと第２連結部７の第２突起部８ｂとが互いに押し離され、第１、第２のバンド１、２の厚み方向における第１連結本体６ａと第２連結本体７ａとの間隔が、第１、第２のバンド１、２の重なり合う厚みよりも狭くなっている。
【００４１】
このため、第２バンド２の抜止め突起部５がバンド押え部材４内に挿入する際には、図６（ａ）〜図６（ｃ）に示すように、抜止め突起部５によって第１連結本体６ａと第２連結本体７ａとがばね部材９のばね力に抗して押し広げられる。すなわち、抜止め突起部５がバンド押え部材４内に挿入する際には、可変連結部８の第１突起部８ａと第２突起部８ｂとがばね部材９を圧縮させて互いに接近することにより、第１連結本体６ａと第２連結本体７ａとがばね部材９のばね力に抗して押し広げられる。
【００４２】
これにより、バンド押え部材４は、抜止め突起部５を弾力的に乗り越えて尾錠３側に移動し、第１、第２のバンド１、２の重なり合うバンド重なり部分に配置される。すると、第１連結部６の第１突起部８ａと第２連結部７の第２突起部８ｂとがばね部材９のばね力によって互いに押し離される。このため、第１連結部６の第１連結本体６ａと第２連結部７の第２連結本体７ａとが互いに接近して第１、第２のバンド１、２の重なり合うバンド重なり部分を弾力的に挟み付ける。
【００４３】
これにより、第１バンド１の端部１ａ側と第２バンド２の端部２ａ側とが、互いに重なり合った状態で、バンド押え部材４によって弾力的に押えられる。これにより、時計バンドが腕に取り付けられる。この状態では、バンド押え部材４が不用意に抜止め突起部５を乗り越えてバンド重なり部分から離脱すことがない。このため、時計バンドが不用意に腕から外れて脱落することがなく、良好に腕に装着して使用することができる。
【００４４】
このように、この時計バンドによれば、第１、第２のバンド１、２の各端部１ａ、２ａ側が重なり合うバンド重なり部分に装着されて第１、第２のバンド１、２の各端部１ａ、２ａ同士を押えるバンド押え部材４が、バンド重なり部分における上側の第２バンド２の端部２ａ側に配置される第１連結部６と、バンド重なり部分における下側の第１バンド１の端部１ａ側に配置される第２連結部７と、第１連結部６と第２連結部２とをバンド重なり部分の厚み方向に変位可能に連結する可変連結部８と、を有していることにより、デザイン性に優れ、かつ装着性も良く、使い勝手の良いものを提供することができる。
【００４５】
すなわち、この時計バンドでは、第１、第２のバンド１、２の各端部１ａ、２ａ側が重なり合うバンド重なり部分に配置される第１連結部６と第２連結部７とを、可変連結部８によってバンド重なり部分の厚み方向に変位可能に連結することができるので、バンド押え部材４を金属などの硬質材料で形成することができると共に、金属などの硬質材料で形成しても、このバンド押え部材４をバンド重なり部分に確実にかつ良好に装着することができ、これによりデザイン性に優れ、かつ装着性も良く、使い勝手の良いものを提供することができる。
【００４６】
この場合、第１、第２のバンド１、２のうち、第２バンドのバンド端部２ａには、その第２バンド２の厚さが厚くなる抜止め突起部５が設けられていることにより、第１、第２のバンド１、２の各端部１ａ、２ａのバンド重なり部分がバンド押え部材４内に挿入して、抜止め突起部５がバンド押え部材４内を通過した際に、可変連結部８によって第１連結部６と第２連結部７とを変位させて、バンド重なり部分をバンド押え部材４で挟むことができるので、抜止め突起部５によってバンド押え部材４が不用意にバンド重なり部分から離脱しないようにすることができる。
【００４７】
また、可変連結部８は、第１連結部６の両側に位置する第１両側部６ｂに設けられて、第２連結部２の両側に位置する第２両側部７ｂの各外面に向けて突出する第１突起部８ａと、第２連結部７の第２両側部７ｂに設けられて、第１連結部６の第１両側部６ｂの各内面に向けて突出する第２突起部８ｂと、を有し、第１突起部８ａと第２突起部８ｂとがバンド重なり部分の厚み方向に変位することにより、バンド押え部材４が金属などの硬質材料で形成されていても、第１連結部６と第２連結部７とにおけるバンド重なり部分の厚み方向の間隔を確実にかつ良好に可変させることができる。
【００４８】
また、この時計バンドでは、可変連結部８が、第１連結部６と第２連結部７とを接近させる方向に付勢する付勢部材であるばね部材９を備えていることにより、このばね部材９のばね力によって第１連結部６と第２連結部７とを弾力的に引き寄せることができ、これにより第１連結部６と第２連結部７とを互いに接近させて第１、第２のバンド１、２の重なり合うバンド重なり部分を弾力的に挟み付けることができる。
【００４９】
すなわち、このばね部材９は、第１連結部６の両側に位置する第１突起部８ａと、第２連結部２の両側に位置する第２突起部８ｂとの間に配置されて、第１突起部８ａと第２突起部８ｂとを互いに押し離す方向に付勢するように構成されていることにより、ばね部材９のばね力によって第１連結部６の第１突起部８ａと第２連結部７の第２突起部８ｂとを押し離すことができ、これにより第１連結部６と第２連結部７とを互いに接近させることができるので、第１連結部６と第２連結部７とによって第１、第２のバンド１、２の重なり合うバンド重なり部分を弾力的に挟み付けることができる。
【００５０】
また、この時計バンドでは、可変連結部８が、第１連結部６と第２連結部７とをバンド重なり部分の厚み方向に沿ってガイドするガイド部１０を備えていることにより、第１連結部６と第２連結部７とをバンド重なり部分の厚み方向に沿って変位する際に、第１連結部６と第２連結部７とが第１、第２のバンド１、２の長手方向に変位することがなく、可変連結部８のガイド部１０によって第１連結部６と第２連結部７とをバンド重なり部分の厚み方向に円滑にかつ良好に変位させることができる。
【００５１】
すなわち、ガイド部１０は、第１連結部６の第１両側部６ｂに互いに対向した状態でバンド重なり部の厚み方向に沿って設けられた一対のガイド溝１１と、第２連結部７の第２両側部７ｂに設けられて一対のガイド溝１１内に挿入され、かつバンド重なり部分の厚み方向にガイドされる一対のガイド突起部１２と、を有していることにより、第１連結部６と第２連結部７とをバンド重なり部分の厚み方向に沿って変位する際に、一対のガイド突起部１２を一対のガイド溝１１内で移動させることができる。
【００５２】
このため、このバンド押え部材４では、第１連結部６と第２連結部７とがバンド重なり部分の厚み方向に沿って変位する際に、一対のガイド突起部１２が一対のガイド溝１１内を移動することにより、第１連結部６と第２連結部７とが第１、第２のバンド１、２の長手方向に変位することがなく、第１連結部６と第２連結部７とをバンド重なり部分の厚み方向に円滑にかつ良好に変位させることができる。
【００５３】
また、このバンド押え部材４では、第１連結部６の第１両側部６ｂにおける各内面の上部に第２連結部７の上限位置を規制する一対のストッパ部１３が設けられていることにより、一対のガイド突起部１２を一対のストッパ部１３の下面に当接させることにより、第１連結部６に対する第２連結部７の上限位置を確実にかつ良好に規制することができ、これにより一対のガイド突起部１２が一対のガイド溝１１から離脱して、第１連結部６と第２連結部７とが第１、第２のバンド１、２の長手方向に変位して不要に離脱しないようにすることができる。
【００５４】
この場合、一対のストッパ部１３は、その下面と一対のガイド溝１１の上端部との間に第２連結部７の各第２突起部８ｂにおける一対のガイド突起部１２が挿入する隙間をもった状態で、第１連結部６の第１両側部６ｂにおける各内面の上部に設けられていることにより、可変連結部８の第２突起部８ｂを第１、第２のバンド１、２の長手方向における側方から第１連結部６における一対のストッパ部１３の下面と一対のガイド溝１１の上端部との間に挿入させることができ、これにより第２突起部８ｂに設けられた一対のガイド突起部１２を第１連結部６の一対のガイド溝１１の上端部に対応させて、一対のガイド溝１１内に容易にかつ良好に挿入させることができる。
【００５５】
なお、上述した第１実施形態では、ばね部材９によって第１連結部６と第２連結部７とを接近させる方向に付勢するように構成した場合について述べたが、この発明は、必ずしもばね部材９を用いる必要はなく、例えば、第２連結部７の第２両側部７ｂに設けられた第２突起部８ｂを第１連結部６の第１両側部６ｂにおける各内面にバンド重なり部分の厚み方向に摺動可能な状態で弾接させた構成であっても良い。
【００５６】
この場合には、バンド押え部材４に第１、第２のバンド１、２が重なり合った状態で挿入する際に、第２連結部７の第２突起部８ｂを第１連結部６の第１両側部６ｂにおける各内面に弾力的に接触させた状態で、バンド重なり部分の厚み方向に摺動させることができるので、第１連結部６と第２連結部７とを自動的に押し広げることができる。
【００５７】
また、バンド押え部材４に第１、第２のバンド１、２が重なり合って挿入された状態で、第１連結部６と第２連結部７との間隔が第１、第２のバンド１、２の重なり合った厚みよりも広い場合には、第１連結部６と第２連結部７とを互いに接近させる方向に押圧させることにより、第２連結部７の第２突起部８ｂを第１連結部６の第１両側部６ｂにおける各内面に弾力的に接触させた状態で、バンド重なり部分の厚み方向に摺動させることができるので、第１、第２のバンド１、２の重なり合う部分を挟み付けることができる。
【００５８】
（第２実施形態）
次に、図７および図８を参照して、この発明を時計バンドに適用した第２実施形態について説明する。なお、図１〜図６に示された第１実施形態と同一部分には同一符号を付して説明する。
この時計バンドは、図７および図８に示すように、バンド押え部材２０が第１実施形態と異なる構成であり、これ以外は第１実施形態と同じ構成になっている。
【００５９】
すなわち、このバンド押え部材２０は、図７および図８に示すように、第１のバンド１と第２のバンド２との各端部１ａ、２ａ側が重なり合うバンド重なり部分における上側に位置する第２バンド２の端部２ａ側に配置される第１連結部２１と、バンド重なり部分における下側に位置する第１バンド１の端部１ａ側に配置される第２連結部２２と、第１連結部２１と第２連結部２２とをバンド重なり部分の厚み方向に変位可能に連結する可変連結部２３と、を有している。
【００６０】
この場合、第１連結部２１は、図７および図８に示すように、第２バンド２２の上面に配置される平板状の第１連結本体部２１ａと、この第１連結本体部２１ａの両側に設けられて、第１、第２のバンド１、２の長手方向に沿う各両側部に対応する第１両側部２１ｂと、を有している。第２連結部２２は、第１バンド１の下面に配置される平板状の第２連結本体部２２ａと、この第２連結本体部２２ａの両側に設けられて、第１、第２のバンド１、２の長手方向に沿う各両側部に対応する第２両側部２２ｂと、を有している。
【００６１】
この場合、第１連結部２１の第１両側部２１ｂは、図７および図８に示すように、第１、第２のバンド１、２の厚み方向の長さが、第１、第２のバンド１、２の重なり合う厚みとほぼ同じ長さで形成されている。第２連結部２２の第２両側部２２ｂは、その第１、第２のバンド１、２の厚み方向の長さが、第１、第２のバンド１、２の重なり合う厚みとほぼ同じ長さで形成されている。
【００６２】
また、第１連結部２１の第１連結本体部２１ａは、図７および図８に示すように、第２バンド２の長手方向と直交する方向の長さが、第２連結部２２の第２連結本体部２２ａの第１バンド１の長手方向と直交する方向の長さよりも、長く形成されている。この第１連結本体部２１ａは、第１実施形態と同様、第２バンド２の長手方向の長さが、第２バンド２の長手方向と直交する方向の長さよりも短い長さで形成されている。
【００６３】
第２連結部２２の第２連結本体部２２ａは、図７および図８に示すように、第１バンド１の長手方向と直交する方向の長さが、第１連結部２１の第１連結本体部２１ａにおける第２バンド２の長手方向と直交する方向の長さとほぼ同じ長さで形成されている。この第２連結本体部２２ａも、第１バンド１の長手方向の長さが第１連結本体部２１ａと同じ長さで形成されている。これにより、第２連結部２２は、その第２両側部２２ｂが第１連結部２１の第１両側部２１ｂ間に接触して配置されるように構成されている。
【００６４】
一方、可変連結部２３は、図７および図８に示すように、第１連結部２１の第１両側部２１ｂと第２連結部２２の第２両側部２２ｂとに設けられて、同一軸上でそれぞれ対応する一対の取付孔２４、２５と、これら一対の取付孔２４、２５にそれぞれ回転可能に取り付けられて第１両側部２１ｂと第２両側部２２ｂとをバンド重なり部分の厚み方向に変位可能に連結する一対のピン部材２６と、を有している。
【００６５】
この場合、第１両側部２１ｂと第２両側部２２ｂとにそれぞれ設けられた一対の取付孔２４、２５のうち、第１両側部２１ｂに設けられた一対の取付孔２４は、図８（ａ）および図８（ｃ）に示すように、一対のピン部材２６の各一端部（図８（ｃ）では外端部）が取り付けられる円形状の固定孔である。また、第２両側部２２ｂに設けられた一対の取付孔２５は、一対のピン部材２６の各他端部（図８（ｃ）では内端部）がバンド重なり部分の厚み方向に変位可能に取り付けられる上下方向に長い可変孔である。
【００６６】
すなわち、第１両側部２１ｂに設けられた一対の取付孔２４は、図８（ａ）および図８（ｃ）に示すように、その内径がピン部材２６の外径と同じ大きさで形成され、ピン部材２６の一端部（図８（ｃ）では外端部）が圧入されることにより、ピン部材２６の一端部を固定するように構成されている。
【００６７】
第２両側部２２ｂに設けられた一対の取付孔２５は、図８（ａ）および図８（ｃ）に示すように、そのバンド重なり部分の厚み方向（図８（ａ）では上下方向）の長さがピン部材２６の外径よりも長く形成されている。また、これら一対の取付孔２５は、第１、第２のバンド１、２の長手方向における長さ（幅）がピン部材２６の外径とほぼ同じ大きさで形成されている。
【００６８】
これにより、一対のピン部材２６は、図８（ａ）および図８（ｃ）に示すように、その各他端部（図８（ｃ）では内端部）が一対の取付孔２５内に圧入により挿入され、この状態でバンド重なり部分の厚み方向（図８（ａ）では上下方向）に圧接摺動するように構成されている。また、一対のピン部材２６それぞれは、その長さが第１両側部２１ｂと第２両側部２２ｂとが重なり合った部分の厚みと同じ長さで形成されている。
【００６９】
また、これら一対のピン部材２６は、図８（ａ）〜図８（ｃ）に示すように、第１連結部２１と第２連結部２２とをバンド重なり部分の厚み方向に重ねて、第１両側部２１ｂ間に第２両側部２２ｂを配置して、第１両側部２１ｂと第２両側部２２ｂとを重ね合わせた状態で、第１両側部２１ｂの取付孔２４から第２両側部２２ｂの取付孔２５に圧入されることにより、第１連結部２１と第２連結部２２とを回転可能に連結するように構成されている。
【００７０】
次に、このような時計バンドのバンド押え部材２０の作用について説明する。
このバンド押え部材２０を組み立てる場合には、まず、第１連結部２１の第１両側部２１ｂ間に第２連結部２２の第２両側部２２ｂを配置し、この状態で第１両側部２１ｂと第２両側部２２ｂとを重ね合わせて、第１両側部２１ｂの取付孔２４と第２両側部２２ｂの取付孔２５とを対応させる。
【００７１】
この状態で、ピン部材２６を第１両側部２１ｂの取付孔２４から第２両側部２２ｂの取付孔２５に圧入し、ピン部材２６の一端部を第１両側部２１ｂの取付孔２４に固定し、ピン部材２６の他端部を第２両側部２２ｂの取付孔２５に回転可能で、かつバンド重なり部分の厚み方向に移動可能な状態で取り付ける。これにより、第１連結部２１と第２連結部２２とが一対のピン部材２６によって連結される。
【００７２】
このバンド押え部材２０を第１実施形態と同様に第１バンド１に取り付ける。このときには、一対のピン部材２６が第２連結部２２の第２両側部２２ｂに設けられた一対の取付孔２５の各上端部、つまり第１連結部２１の第１連結本体２１ａ側に位置する一対の取付孔２５の端部に配置されている。これにより、第１連結部２１の第１連結本体２１ａと第２連結部２２の第２連結本体２２ａとが最も接近している。
【００７３】
この状態で、図７（ａ）および図７（ｂ）に示すように、第２バンド２の端部２ａを第１バンド１の端部１ａ側の上側に重ね合わせながらバンド押え部材２０内に挿入させる。このときには、図７（ｂ）に示すように、バンド押え部材２０内に対する第２バンド２の端部２ａの挿入に伴って、バンド押え部材２０の第１連結部２１がピン部材２６を中心に回転する。
【００７４】
すなわち、第２バンド２の端部２ａの挿入側に位置する第１連結本体２１ａと第２連結本体２２ａとの間隔が、第２バンド２の端部２ａの挿入側と反対側に位置する第１連結本体２１ａと第２連結本体２２ａとの間隔よりも広くなるように、第１連結部２１が一対のピン部材２６を中心に回転する。これにより、第２バンド２の端部２ａが第１バンド１の端部１ａ側の上側に重なり合いながらバンド押え部材２０内に挿入される。
【００７５】
この状態で、第２バンド２の端部２ａ側に設けられた抜止め突起部５がバンド押え部材２０内に挿入する際には、抜止め突起部５が第１連結部２１の第１連結本体２１ａの内面に圧接する。これにより、第１連結部２１の第１連結本体２１ａと第２連結部２２の第２連結本体２２ａとが第２バンド２の抜止め突起部５によって徐々に押し広げられる。
【００７６】
このときは、第１連結部２１と第２連結部２２とが一対のピン部材２６で回転可能に連結され、これら一対のピン部材２６の一端部が、第１連結部２１の第１両側部２１ｂに設けられた一対の取付孔２４に取り付けられ、これら一対のピン部材２６の他端部が、第２連結部２２の第２両側部２２ｂに長孔形状で設けられた一対の取付孔２５内をバンド重なり部分の厚み方向に変位する。
【００７７】
これにより、第１連結本体２１ａと第２連結本体２２ａとの間隔が徐々に広くなるため、第１連結部２１の第１連結本体２１ａと第２連結部２２の第２連結本体２２ａとが第２バンド２の抜止め突起部５を乗り越える。このようにバンド押え部材２０が抜止め突起部５を乗り越えて、尾錠３側に位置するバンド重なり部分に配置された際には、第１連結部２１と第２連結部２２とを接近する方向に押す。このときにも、一対のピン部材２６の他端部が、第２連結部２２の第２両側部２２ｂに設けられた一対の取付孔２５内をバンド重なり部分の厚み方向に変位する。
【００７８】
このため、第１連結本体２１ａと第２連結本体２２ａとの間隔が狭くなり、第１バンド１と第２バンド２とをその重なり合う方向に押えることができる。これにより、時計バンドが腕に取り付けられる。この状態では、バンド押え部材２０が不用意に抜止め突起部５を乗り越えてバンド重なり部分から離脱すことがない。これにより、時計バンドが不用意に腕から外れて脱落することがなく、良好に腕に装着して使用することができる。
【００７９】
このように、この時計バンドのバンド押え部材２０によれば、バンド重なり部分における上側の第２バンド２の端部２ａ側に配置される第１連結部２１と、バンド重なり部分における下側の第１バンド１の端部１ａ側に配置される第２連結部２２とを、可変連結部２３によってバンド重なり部分の厚み方向に変位可能に連結することができるので、第１実施形態と同様、デザイン性に優れ、かつ装着性も良く、使い勝手の良いものを提供することができる。
【００８０】
すなわち、この時計バンドのバンド押え部材２０では、バンド押え部材２０を金属などの硬質材料で形成することができると共に、金属などの硬質材料で形成しても、第１連結部２１と第２連結部２２とをバンド重なり部分に確実にかつ良好に押し付けて装着することができるので、第１実施形態と同様、デザイン性に優れ、かつ装着性も良く、使い勝手の良いものを提供することができる。
【００８１】
この場合、第１、第２のバンド１、２のうち、第２バンドのバンド端部２ａには、第１実施形態と同様、その第２バンド２の厚さが厚くなる抜止め突起部５が設けられていることにより、第１、第２のバンド１、２の各端部１ａ、２ａのバンド重なり部分がバンド押え部材２０内に挿入して、抜止め突起部５がバンド押え部材２０内を通過した際に、可変連結部２３によって第１連結部２１と第２連結部２２とを変位させて、バンド重なり部分をバンド押え部材２０で挟むことができるので、抜止め突起部５によってバンド押え部材２０が不用意にバンド重なり部分から離脱しないようにすることができる。
【００８２】
また、可変連結部２３は、第１連結部２１の両側に設けられた第１両側部２１ｂと、第２連結部２２の両側に設けられて、第１連結部２１の第１両側部２１ｂに重なる第２両側部２２ｂと、第１、第２の各両側部２１ｂ、２２ｂに設けられて、同一軸上で対応する一対の取付孔２４、２５と、これら一対の取付孔２４、２５に回転可能に取り付けられて、第１、第２の各２１ｂ、２２ｂをバンド重なり部分の厚み方向に変位可能に連結する一対のピン部材２６と、を有していることにより、バンド押え部材２０が金属などの硬質材料で形成されていても、第１連結部２１と第２連結部２２とにおけるバンド重なり部分の厚み方向の間隔を確実にかつ良好に可変させることができる。
【００８３】
すなわち、第１両側部２１ｂと第２両側部２２ｂとにそれぞれ設けられた一対の取付孔２４、２５のうち、第１両側部２１ｂに設けられた一対の取付孔２４は、一対のピン部材２６の各一端部が取り付けられる円形状の固定孔であり、第２両側部２２ｂに設けられた一対の取付孔２５は、一対のピン部材２６の各他端部がバンド重なり部分の厚み方向に変位可能に取り付けられる長孔形状の可変孔であることにより、一対のピン部材２６を中心に第１連結部２１と第２連結部２２とを回転させることができると共に、第１連結部２１と第２連結部２２とを接離方向に変位させることができる。
【００８４】
この場合、ピン部材２６は、一端部が第１両側部２１ｂの取付孔２４に固定され、他端部が第２両側部２２ｂの取付孔２４にバンド重なり部分の厚み方向に変位可能な状態で圧入されていることにより、第１バンド１と第２バンド２とが重なり合い、かつ第２バンド２の端部２ａ側に設けられた抜止め突起部５がバンド押え部材２０内に挿入する際に、抜止め突起部５によってピン部材２６の他端部を第２連結部２２の長孔形状の取付孔２５内をバンド重なり部分の厚み方向に変位させて、第１連結本体２１ａと第２連結本体２２ａとの間隔を押し広げることができる。
【００８５】
また、バンド押え部材２０が抜止め突起部５を乗り越えて、尾錠３側に位置するバンド重なり部分に配置された際には、第１連結部２１と第２連結部２２とを接近する方向に押すことにより、ピン部材２６の他端部を第２連結部２２の長孔形状の取付孔２５内をバンド重なり部分の厚み方向に変位させて、第１連結本体２１ａと第２連結本体２２ａとの間隔を狭くすることができ、これにより第１バンド１と第２バンド２とをその重なり合う方向に押えることができる。
【００８６】
なお、上述した第２実施形態では、一対の取付孔２４、２５のうち、円形状の固定孔である一対の取付孔２４を第１連結部２１の第１両側部２１ｂに設け、長孔状の可変孔である一対の取付孔２５を第２連結部２２の第２両側部２２ｂに設けた場合について述べたが、この発明はこれに限られることなく、例えば、円形状の固定孔である一対の取付孔２４を第２連結部２２の第２両側部２２ｂに設け、長孔状の可変孔である一対の取付孔２５を第１連結部２１の第１両側部２１ｂに設けた構成であっても良い。
【００８７】
（第３実施形態）
次に、図９および図１０を参照して、この発明を時計バンドに適用した第３実施形態について説明する。この場合にも、図１〜図６に示された第１実施形態と同一部分には同一符号を付して説明する。
この時計バンドは、図９および図１０に示すように、バンド押え部材３０が第１実施形態と異なる構成であり、これ以外は第１実施形態と同じ構成になっている。
【００８８】
すなわち、このバンド押え部材３０は、図９および図１０に示すように、第１のバンド１と第２のバンド２との各端部１ａ、２ａ側が重なり合うバンド重なり部分における上側に位置する第２バンド２の端部２ａ側に配置される第１連結部３１と、バンド重なり部分における下側に位置する第１バンド１の端部１ａ側に配置される第２連結部３２と、第１連結部３１と第２連結部３２とをバンド重なり部分の厚み方向に変位可能に連結する可変連結部３３と、を有している。
【００８９】
この場合、第１連結部３１は、図９および図１０に示すように、第２バンド３２の上面に配置される平板状に形成されている。この第１連結部３１は、第２バンド２の長手方向と直交する方向の長さが、第１、第２のバンド１、２の各長手方向と直交する方向の長さよりも少し長く形成されている。第２連結部３２も、第１連結部３１と同様、第１バンド１の下面に配置される平板状に形成されている。この第２連結部３２は、第１バンド１の長手方向と直交する方向の長さが第１連結部３１と同じ長さに形成されている。
【００９０】
一方、可変連結部３３は、図９および図１０に示すように、第１連結部３１の両側部と第２連結部３２の両側部とをバンド重なり部分の厚み方向に弾性変形可能に連結する一対の弾性部材３４を備えている。これら一対の弾性部材３４は、ウレタン樹脂などの弾性を有する合成樹脂によって縦板状に形成されている。
【００９１】
これら一対の弾性部材３４は、図９および図１０に示すように、そのバンド重なり部分の厚み方向の長さ（図１０（ｂ）では上下方向の長さ）がバンド重なり部分の厚みとほぼ同じ長さで形成されている。また、これら一対の弾性部材３４は、その内部に複数の空洞部３４ａが設けられ、これら複数の空洞部３４ａによって弾性変形し易くなるように構成されている。
【００９２】
この場合、第１連結部３１の両側部には、図９に示すように、一対の弾性部材３４の各一端部（図９では上端部）に食い込で取り付けられる一対の第１取付突起部３５がそれぞれ設けられている。これら一対の第１取付突起部３５には、複数の取付孔３５ａが設けられている。また、第２連結部３２の両側部には、一対の弾性部材３４の各他端部（図９では下端部）に食い込で取り付けられる一対の第２取付突起部３６がそれぞれ設けられている。これら一対の第２取付突起部３６にも、複数の取付孔３６ａがそれぞれ設けられている。
【００９３】
これにより、一対の弾性部材３４は、図９および図１０に示すように、インサート成型によって各一端部（図９では上端部）に第１連結部３１の一対の第１取付突起部３５が食い込むと共に、第１取付突起部３５の複数の取付孔３５ａに弾性部材３４が食い込んだ状態で一体に形成されるように構成されている。
【００９４】
また、これら一対の弾性部材３４は、図９および図１０に示すように、インサート成型によって各他端部（図９では下端部）に第２連結部３２の一対の第２取付突起部３６が食い込むと共に、第２取付突起部３６の複数の取付孔３６ａに弾性部材３４が食い込んだ状態で一体に形成されるように構成されている。
【００９５】
次に、このような時計バンドのバンド押え部材３０の作用について説明する。
このバンド押え部材３０を製作する場合には、成型用の金型内に第１連結部３１と第２連結部３２とを配置して、金型内に弾性材料を注入することにより、簡単にかつ容易に製作することができる。このときには、第１連結部３１の一対の第１取付突起部３５と第２連結部３２の一対の第２取付突起部３６とを互いに対向させた状態で、第１連結部３１と第２連結部３２とを成型用の金型内に配置する。
【００９６】
この状態で、金型内に弾性材料を注入すると、弾性材料が一対の第１取付突起部３５を覆うと共に、これら一対の第１取付突起部３５に設けられた複数の取付孔３５ａに充填される。また、このときには、弾性材料が一対の第２取付突起部３６を覆うと共に、これら一対の第２取付突起部３６に設けられた複数の取付孔３６ａに充填される。これにより、一対の弾性部材３４がインサート成型によって第１連結部３１と第２連結部３２と一体に形成される。
【００９７】
このバンド押え部材３０を第１実施形態と同様に第１バンド１に取り付ける。このときには、一対の弾性部材３４が自然な自由状態に収縮され、この状態で第１バンド１に取り付けられる。この状態で、第２バンド２の端部２ａを第１バンド１の端部１ａ側の上側に重ね合わせながらバンド押え部材３０内に挿入させる際には、一対の弾性部材３４が弾力的に伸びることにより、第２バンド２の端部２ａが第１バンド１の端部１ａ側の上側に重なり合いながらバンド押え部材３０内に挿入される。
【００９８】
この場合、第２バンド２の端部２ａ側に設けられた抜止め突起部５がバンド押え部材３０内に挿入する際には、抜止め突起部５の突出長さに応じて、一対の弾性部材３４が弾力的に更に伸びることにより、第１連結部３１と第２連結部３２とが押し広げられる。これにより、第１連結部３１と第２連結部３２との間隔が広くなるため、第１連結部３１と第２連結部３２とが第２バンド２の抜止め突起部５を乗り越える。
【００９９】
このようにバンド押え部材３０が抜止め突起部５を乗り越えて、尾錠３側に位置するバンド重なり部分に配置された際には、一対の弾性部材３４が元形状に戻るように収縮する。このため、第１連結部３１と第２連結部３２とが接近して第１バンド１と第２バンド２とをその厚み方向に弾力的に挟む。これにより、バンド押え部材３０は、第１、第２の実施形態と同様、不用意に抜止め突起部５を乗り越えてバンド重なり部分から離脱すことがない。このため、時計バンドが不用意に腕から外れて脱落することがなく、良好に腕に装着して使用することができる。
【０１００】
このように、この時計バンドのバンド押え部材３０によれば、バンド重なり部分における上側の第２バンド２の端部２ａ側に配置される第１連結部３１と、バンド重なり部分における下側の第１バンド１の端部１ａ側に配置される第２連結部３２とを、可変連結部３３によってバンド重なり部分の厚み方向に変位可能に連結することができるので、第１実施形態と同様、デザイン性に優れ、かつ装着性も良く、使い勝手の良いものを提供することができる。
【０１０１】
このため、この時計バンドのバンド押え部材３０では、第１連結部３１と第２連結部３２とを金属などの硬質材料で形成することができると共に、第１連結部３１と第２連結部３２とを金属などの硬質材料で形成しても、これら第１連結部３１と第２連結部３２とをバンド重なり部分に確実にかつ良好に押し付けて装着することができるので、第１実施形態と同様、デザイン性に優れ、かつ装着性も良く、使い勝手の良いものを提供することができる。
【０１０２】
この場合、第１、第２のバンド１、２のうち、第２バンドのバンド端部２ａには、第１実施形態と同様、その第２バンド２の厚さが厚くなる抜止め突起部５が設けられていることにより、第１、第２のバンド１、２の各端部１ａ、２ａのバンド重なり部分がバンド押え部材３０内に挿入して、抜止め突起部５がバンド押え部材３０内を通過した際に、可変連結部３３によって第１連結部３１と第２連結部３２とを変位させて、バンド重なり部分をバンド押え部材３０で挟むことができるので、抜止め突起部５によってバンド押え部材３０が不用意にバンド重なり部分から離脱しないようにすることができる。
【０１０３】
また、可変連結部３３は、第１連結部３１の両側部と第２連結部３２の両側部とをバンド重なり部分の厚み方向に弾性変形可能に連結する一対の弾性部材３４を備えていることにより、第２バンド２の端部２ａを第１バンド１の端部１ａ側の上側に重ね合わせながらバンド押え部材３０内に挿入させる際に、一対の弾性部材３４が弾力的に伸びるので、第２バンド２の端部２ａを第１バンド１の端部１ａ側の上側に重ね合わせながらバンド押え部材３０内に容易に挿入することができる。
【０１０４】
すなわち、この可変連結部３３では、第２バンド２の端部２ａが第１バンド１の端部１ａ側の上側になり合いながらバンド押え部材３０内に挿入される際に、第２バンド２の端部２ａ側に設けられた抜止め突起部５がバンド押え部材３０内に挿入すると、この抜止め突起部５の突出長さに応じて、一対の弾性部材３４が弾力的に更に伸びるので、第１連結部３１と第２連結部３２とを確実にかつ良好に押し広げることができる。
【０１０５】
これにより、この可変連結部３３では、第１連結部３１と第２連結部３２との間隔が広くなるため、第１連結部３１と第２連結部３２とが第２バンド２の抜止め突起部５を容易に乗り越えることができると共に、バンド押え部材３０が抜止め突起部５を乗り越えた際に、一対の弾性部材３４が元形状に戻るように収縮するため、第１連結部３１と第２連結部３２とで第１バンド１と第２バンド２とをその厚み方向に弾力的に挟むことができる。
【０１０６】
この場合、可変連結部３３の一対の弾性部材３４は、そのバンド重なり部分の厚み方向の長さがバンド重なり部分の厚みとほぼ同じ長さで形成され、かつその各内部に複数の空洞部３４ａが設けられていることにより、弾性部材３４が伸縮する際に、複数の空洞部３４ａによって弾性部材３４を容易に弾性変形させることができるので、弾性部材３４を良好に伸縮させることができる。
【０１０７】
また、この可変連結部３３は、第１連結部３１の両側部にそれぞれ設けられて一対の弾性部材３４の各一端部に食い込で取り付けられる一対の第１取付突起部３５と、第２連結部３２の両側部にそれぞれ設けられて一対の弾性部材３４の各他端部に食い込で取り付けられる一対の第２取付突起部３６と、を有していることにより、インサート成型によって一対の弾性部材３４を第１連結部３１の両側部と第２連結部３２の両側部との間に確実にかつ良好に一体に形成することができる。
【０１０８】
すなわち、この可変連結部３３は、第１連結部３１の一対の第１取付突起部３５に複数の取付孔３５ａが設けられ、第２連結部３２の一対の第２取付突起部３６に複数の取付孔３６ａが設けられていることにより、一対の弾性部材３４をインサート成型する際に、一対の弾性部材３４を第１取付突起部３５の複数の取付孔３５ａと第２取付突起部３６の複数の取付孔３６ａとに食い込ませることができるので、一対の弾性部材３４を第１連結部３１の両側部と第２連結部３２の両側部との間に、より一層、確実に設けることができる。
【０１０９】
なお、上述した第１〜第３の実施形態では、時計バンドに適用した場合について述べたが、この発明は必ずしも時計バンドである必要はなく、例えば鞄やバッグ、衣服などに用いられるバンドにも適用することができる。
【０１１０】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１１１】
（付記）
請求項１に記載の発明は、バンド部材と、前記バンド部材の一方のバンド端部に装着されて前記バンド部材の他方のバンド端部とを押えるバンド押え部材を備え、前記バンド押え部材は、前記他方のバンド端部側に配置される第１連結部と、前記一方のバンド端部側に配置される第２連結部と、前記第１連結部と前記第２連結部とを前記一方のバンド端部と前記他方のバンド端部との重なり合う方向に変位可能に連結する可変連結部と、を有していることを特徴とするバンドである。
【０１１２】
請求項２に記載の発明は、請求項１に記載のバンドにおいて、前記バンド部材の他方のバンド端部には、前記バンド部材の厚さが厚くなった抜止め突起部を有していることを特徴とするバンドである。
【０１１３】
請求項３に記載の発明は、請求項１または請求項２に記載のバンドにおいて、前記可変連結部は、前記第１連結部の両側に位置する第１両側部に設けられ、かつ前記第２連結部の両側に位置する第２両側部の各外面に向けて突出した第１突起部と、前記第２連結部の前記第２両側部に設けられ、かつ前記第１連結部の前記第１両側部の各内面に向けて突出した第２突起部と、を有し、前記第１突起部と前記第２突起部とが前記一方のバンド端部と前記他方のバンド端部との重なり合う方向に変位することを特徴とするバンドである。
【０１１４】
請求項４に記載の発明は、請求項１〜請求項３のいずれかに記載のバンドにおいて、前記可変連結部は、前記第１連結部と前記第２連結部とを互いに接近させる方向に付勢する付勢部材を備えていることを特徴とするバンドである。
【０１１５】
請求項５に記載の発明は、請求項４に記載のバンドにおいて、前記付勢部材は、前記第１連結部の前記第１突起部と前記第２連結部の前記第２突起部との間に配置されて、前記第１突起部と前記第２突起部とを押し離す方向に付勢することを特徴とするバンドである。
【０１１６】
請求項６に記載の発明は、請求項１〜請求項５のいずれかに記載のバンドにおいて、前記可変連結部は、前記第１連結部と前記第２連結部とを前記一方のバンド端部と前記他方のバンド端部との重なり合う方向に沿ってガイドするガイド部を備えていることを特徴とするバンドである。
【０１１７】
請求項７に記載の発明は、請求項６に記載のバンドにおいて、前記ガイド部は、前記第１連結部の前記第１両側部と前記第２連結部の前記第２両側部との一方に互いに対向した状態で前記一方のバンド端部と前記他方のバンド端部との重なり合う方向に沿って設けられた一対のガイド溝と、前記第１連結部の前記第１両側部と前記第２連結部の前記第２両側部との他方に設けられて前記一対のガイド溝内に挿入され、かつ前記一方のバンド端部と前記他方のバンド端部との重なり合う方向にガイドされる一対のガイド突起部と、を有していることを特徴とするバンドである。
【０１１８】
請求項８に記載の発明は、請求項１または請求項２に記載のバンドにおいて、前記可変連結部は、前記第１連結部の両側に設けられた第１両側部と、前記第２連結部の両側に設けられ、かつ前記第１連結部の前記第１両側部に重なる第２両側部と、前記第１両側部と前記第２両側部とに設けられて同一軸上で対応する一対の取付孔と、前記一対の取付孔に回転可能に取り付けられ、かつ前記第１両側部と前記第２両側部とを前記一方のバンド端部と前記他方のバンド端部との重なり合う方向に変位可能に連結する一対のピン部材と、を有していることを特徴とするバンドである。
【０１１９】
請求項９に記載の発明は、請求項８に記載のバンドにおいて、前記第１両側部と前記第２両側部とに設けられた前記一対の取付孔のうち、いずれか一方の取付孔は、前記ピン部材の一端部を取り付ける固定孔であり、前記いずれか他方の取付孔は、前記ピン部材の他端部を前記一方のバンド端部と前記他方のバンド端部との重なり合う方向に変位可能に取り付ける可変孔であることを特徴とするバンドである。
【０１２０】
請求項１０に記載の発明は、請求項１または請求項２に記載のバンドにおいて、前記可変連結部は、前記第１連結部の両側部と前記第２連結部の両側部とを前記一方のバンド端部と前記他方のバンド端部との重なり合う方向に弾性変形可能に連結する一対の弾性部材を備えていることを特徴とするバンドである。
【０１２１】
請求項１１に記載の発明は、請求項１０に記載のバンドにおいて、前記第１連結部の両側部にそれぞれ設けられて前記一対の弾性部材の各一端部に食い込で取り付けられる一対の第１取付突起部と、前記第２連結部の両側部にそれぞれ設けられて前記一対の弾性部材の各他端部に食い込で取り付けられる一対の第２取付突起部と、を有していることを特徴とするバンドである。
【０１２２】
請求項１２に記載の発明は、請求項１〜請求項１１のいずれかに記載のバンドを備えていることを特徴とする時計である。
【符号の説明】
【０１２３】
１  第１バンド
１ａ  端部
２  第２バンド
２ａ  端部
４、２０、３０  バンド押え部材
５  抜止め突起部
６、２１、３１  第１連結部
６ａ、２１ａ  第１連結本体
６ｂ、２１ｂ  第１両側部
７、２２、３２  第２連結部
７ａ、２２ａ  第２連結本体
７ｂ、２２ｂ  第２両側部
８、２３、３３  可変連結部
８ａ  第１突起部
８ｂ  第２突起部
９  ばね部材
１０  ガイド部
１１ガイド溝
１２  ガイド突起部
１３  ストッパ部
２４、２５  取付孔
２６  ピン部材
３４  弾性部材
３５  第１取付突起部
３５ａ  取付孔
３６  第２取付突起部
３６ａ  取付孔
【図１】
0006575853.tif 000002
【図２】
0006575853.tif 000003
【図３】
0006575853.tif 000004
【図４】
0006575853.tif 000005
【図５】
0006575853.tif 000006
【図６】
0006575853.tif 000007
【図７】
0006575853.tif 000008
【図８】
0006575853.tif 000009
【図９】
0006575853.tif 000010
【図１０】
0006575853.tif 000011